(57)【要約】  表示生成装置は、時刻情報と施設に関する複数のカテゴリのいずれに属すかを示す識別情報とが付与された事象データを複数取得する取得部と、複数の前記事象データを前記識別情報に応じたカテゴリごとに前記時刻情報に基づいて時系列に並べて表示データを生成する生成部と、を備える。
2016158784.tif 000002
【特許請求の範囲】
【請求項１】
時刻情報と施設に関する複数のカテゴリのいずれに属すかを示す識別情報とが付与された事象データを複数取得する取得部と、
複数の前記事象データを前記識別情報に応じたカテゴリごとに前記時刻情報に基づいて時系列に並べて表示データを生成する生成部と、
を備える表示生成装置。
【請求項２】
前記生成部は、前記事象データが複数のカテゴリに共通する場合、一の当該事象データが前記複数のカテゴリに跨るように前記表示データを生成する、請求項１に記載の表示生成装置。
【請求項３】
前記生成部は、前記複数のカテゴリに跨がる前記表示データの角枠内に前記複数のカテゴリとは異なる色を付けて表示するように前記表示データを生成する、請求項２に記載の表示生成装置。
【請求項４】
前記生成部は、前記事象データが複数のカテゴリに共通する場合、各前記事象データを共通するカテゴリにまとめて前記表示データを生成する、請求項１に記載の表示生成装置。
【請求項５】
前記取得部は、予め設定された前記事象データのみを取得する、請求項１から４のいずれか１つに記載の表示生成装置。
【請求項６】
前記生成部は、
前記複数の事象データを、所定基準に基づき少なくとも２つのグループに分ける分類部と、
分類された前記少なくとも２つのグループのうちの特定のグループに含まれる前記事象データを時間経過に伴って１つの単位にまとめる集約部と、
を含む、請求項１から５のいずれか１つに記載の表示生成装置。
【請求項７】
前記取得部が更新された事象データを取得した場合、前記生成部は、更新された前記事象データに基づく表示データを生成する、請求項１から６のいずれか１つに記載の表示生成装置。
【請求項８】
前記取得部が後の事象を予測された予測データを取得した場合、前記生成部は、当該予測データに基づく表示データを生成する、請求項１から７のいずれか１つに記載の表示生成装置。
【請求項９】
前記取得部が予め計画された計画データを取得した場合、前記生成部は、当該計画データに基づく表示データを生成する、請求項１から８のいずれか１つに記載の表示生成装置。
【請求項１０】
前記取得部が前記事象データに対応する作業の作業データを取得した場合、前記生成部は、当該作業データに基づく表示データを生成する、請求項１から９のいずれか１つに記載の表示生成装置。
【請求項１１】
ネットワークを介して複数箇所からの事象データを前記取得部で取得する、請求項１から１０のいずれか１つに記載の表示生成装置。
【請求項１２】
請求項１から１１のいずれか１つに記載の表示生成装置と、
前記表示生成装置が生成する表示データを表示部に表示するよう制御する表示制御部と、
を備える表示制御装置。
【請求項１３】
前記表示制御部は、横軸に前記カテゴリを並べ、当該カテゴリごとに時刻情報に基づき縦軸に時系列に表示データを表示部に表示するよう制御する、請求項１２に記載の表示制御装置。
【請求項１４】
時刻情報と、施設に関する複数のカテゴリのいずれに属すかを示す識別情報とが付与された事象データを複数取得することと、
複数の前記事象データを、前記識別情報に応じたカテゴリごとに、前記時刻情報に基づいて時系列に並べて表示データを生成することと、
を含む表示生成方法。
【発明の詳細な説明】
【技術分野】
【０００１】
本発明は、例えば、緊急時にプラントの時々刻々と変わる事象の表示を行う表示生成装置、表示制御装置および表示生成方法に関するものである。
【背景技術】
【０００２】
例えば、原子力発電プラントは、原子炉、蒸気タービン、発電機などにより構成されている。そして、原子炉として加圧水型原子炉（ＰＷＲ：Pressurized  Water  Reactor）を適用した場合、加圧水型原子炉は、軽水を原子炉冷却材および中性子減速材として使用し、炉心全体にわたって沸騰しない高温高圧水を生成する。蒸気発生器は、この高温高圧水（一次冷却水）と二次冷却水との間で熱交換し、蒸気を生成する。そして、蒸気タービンは、この蒸気によりタービンを駆動し、発電機はこの駆動力により発電する。【０００３】
このような原子力発電プラントにて、過酷事故（シビアアクシデント）が発生した場合、各所に災害対策室を設け、事故の状況を把握し、対策を講じる必要がある。一般的に、災害対策室は、大人数の関係者を召集し、プラントの状況把握や対策フローなどの指揮命令に必要な情報を提示する。【０００４】
一般的な意思決定支援システムとしては、例えば、下記特許文献１から３に記載されたものがある。例えば、特許文献１に記載された意思決定支援システムは、意思決定に必要な情報を、意思決定支援装置からネットワークを介して各種端末に配信するために、意思決定の原因となるイベントをイベント管理部で検知し、イベントに応じたタスク（業務）割当て及び通知すべき情報を、イベントに応じて情報相関管理部で管理される各情報の相関関係を用いて決定するものである。また、災害時の情報を管理する技術として、下記特許文献４から６に記載されたものがある。
【先行技術文献】
【特許文献】
【０００５】
【特許文献１】特開２０１３−０８８８２９号公報
【特許文献２】特開２０１４−０７８０７０号公報
【特許文献３】国際公開第２０１４／０５７８３５号
【特許文献４】特開２００６−２９２４０２号公報
【特許文献５】特開２０１１−２１０２０５号公報
【特許文献６】特開２００３−１７７６６６号公報
【発明の概要】
【発明が解決しようとする課題】
【０００６】
ところで、プラントにおいては、過酷事故が発生した場合、時々刻々と変化する事象が報告されるが、これをまとめて把握することが望まれている。【０００７】
本発明は、上述した課題を解決するものであり、様々な事象の報告をまとめることのできる表示生成装置、表示制御装置および表示生成方法を提供することを目的とする。
【課題を解決するための手段】
【０００８】
上記の目的を達成するための本発明の一態様に係る表示生成装置は、時刻情報と施設に関する複数のカテゴリのいずれに属すかを示す識別情報とが付与された事象データを複数取得する取得部と、複数の前記事象データを前記識別情報に応じたカテゴリごとに前記時刻情報に基づいて時系列に並べて表示データを生成する生成部と、を備える。【０００９】
この表示生成装置によれば、様々な事象の事象データを取得してカテゴリごとに時系列に並べた表示データを生成するため、様々な事象の報告をまとめることができる。よって、オペレータは、様々な事象がカテゴリごとに時系列で追って確認することができる。この結果、様々な事象の事象データを一括して管理し、漏れなくオペレータに提示することができる。【００１０】
本発明の一態様に係る表示生成装置では、前記生成部は、前記事象データが複数のカテゴリに共通する場合、一の当該事象データが前記複数のカテゴリに跨るように前記表示データを生成することが好ましい。【００１１】
この表示生成装置によれば、複数のカテゴリに共通する事象データを個々の表示データとして表示することに比較し、各カテゴリに跨がる表示データとすることで、見やすくなり、かつ報告内容を強調することができる。【００１２】
本発明の一態様に係る表示生成装置では、前記生成部は、前記複数のカテゴリに跨がる前記表示データの角枠内に前記複数のカテゴリとは異なる色を付けて表示するように前記表示データを生成することが好ましい。【００１３】
この表示生成装置によれば、各カテゴリに連なる表示データを生成した場合に、各カテゴリに連なる表示データの角枠内に各カテゴリとは異なる色を付けて表示データを生成することで、共通する事象データを別途色分けにより区別して表示することができる。【００１４】
本発明の一態様に係る表示生成装置では、前記生成部は、前記事象データが複数のカテゴリに共通する場合、各前記事象データを共通するカテゴリにまとめて前記表示データを生成することが好ましい。【００１５】
この表示生成装置によれば、複数のカテゴリに共通する事象データがある場合、これを別のカテゴリとしてまとめて表示データを生成することで、異なる観点から事象データを見ることができ、かつ報告内容を強調することができる。【００１６】
本発明の一態様に係る表示生成装置では、前記取得部は、予め設定された前記事象データのみを取得することが好ましい。【００１７】
この表示生成装置によれば、多数の報告がある場合に、予め設定された、例えば、重要度の高い事象データから生成した表示データを表示部に表示することで、見やすくなり、かつ報告内容を強調することができる。【００１８】
本発明の一態様に係る表示生成装置では、前記生成部は、前記複数の事象データを、所定基準に基づき少なくとも２つのグループに分ける分類部と、分類された前記少なくとも２つのグループのうちの特定のグループに含まれる前記事象データを時間経過に伴って１つの単位にまとめる集約部と、を含むことが好ましい。【００１９】
この表示生成装置によれば、例えば、重要度の低い事象データについては、時間経過に伴って集約して畳んで表示し、重要度の高い事象データについては、そのまま表示することで、見やすくなり、かつ重要度の高い報告内容を強調することができる。【００２０】
本発明の一態様に係る表示生成装置では、前記取得部が更新された事象データを取得した場合、前記生成部は、更新された前記事象データに基づく表示データを生成することが好ましい。【００２１】
事象データが人の入力の場合は、誤入力が発生するおそれがある。この表示生成装置によれば、誤入力が訂正されて更新された場合に、この更新された事象データを取得し、更新を反映した表示データを生成することで、正確な報告内容を表示することができる。【００２２】
本発明の一態様に係る表示生成装置では、前記取得部が後の事象を予測された予測データを取得した場合、前記生成部は、当該予測データに基づく表示データを生成することが好ましい。【００２３】
この表示生成装置によれば、例えば、シミュレーションにより後の事象が予測された場合、これを予測データとして取得し、後の事象を予測された表示データを生成することで、後の事象の予測を時系列で見ることができる。【００２４】
本発明の一態様に係る表示生成装置では、前記取得部が予め計画された事象データを取得した場合、前記生成部は、当該計画データに基づく表示データを生成することが好ましい。【００２５】
この表示生成装置によれば、現在の進行とのズレを認識したり、今後対応すべき項目を把握したり、その猶予時間を一目で認識できる。計画された予定は、訓練などで実際の対応に併せて、改訂していくこともでき、使えば使う程より高精度の計画になる。【００２６】
本発明の一態様に係る表示生成装置では、前記取得部が前記事象データに対応する作業の作業データを取得した場合、前記生成部は、当該作業データに基づく表示データを生成することが好ましい。【００２７】
この表示生成装置によれば、事象データに対する対策の作業を確認することができる。【００２８】
本発明の一態様に係る表示生成装置では、ネットワークを介して複数箇所からの事象データを前記取得部で取得することが好ましい。【００２９】
この表示生成装置によれば、複数箇所の事象データを取得してカテゴリごとに時系列に並べた表示データを生成し表示部に表示することで、複数箇所の事象データを纏めて表示することができる。【００３０】
本発明の一態様に係る表示制御装置は、上述したいずれか１つの表示生成装置と、前記表示生成装置が生成する表示データを表示部に表示するよう制御する表示制御部と、を備える。【００３１】
この表示制御装置によれば、様々な事象の事象データを取得してカテゴリごとに時系列に並べて生成された表示データを表示部に表示するため、様々な事象の報告をまとめることができる。よって、オペレータは、様々な事象がカテゴリごとに時系列で追って確認することができる。この結果、様々な事象の事象データを一括して管理し、漏れなくオペレータに提示することができる。【００３２】
本発明の一態様に係る表示制御装置では、前記表示制御部は、横軸に前記カテゴリを並べ、当該カテゴリごとに時刻情報に基づき縦軸に時系列に表示データを表示部に表示するよう制御することが好ましい。【００３３】
この表示制御装置によれば、縦軸に時系列に表示データを表示することで、各カテゴリの事象の報告を上から下に順に並べて表示することができる。【００３４】
本発明の一態様に係る表示生成方法は、時刻情報と、施設に関する複数のカテゴリのいずれに属すかを示す識別情報とが付与された事象データを複数取得することと、複数の前記事象データを、前記識別情報に応じたカテゴリごとに、前記時刻情報に基づいて時系列に並べて表示データを生成することと、を含む。【００３５】
この表示生成方法によれば、様々な事象の事象データを取得してカテゴリごとに時系列に並べた表示データを生成するため、様々な事象の報告をまとめることができる。よって、オペレータは、様々な事象がカテゴリごとに時系列で追って確認することができる。この結果、様々な事象の事象データを一括して管理し、漏れなくオペレータに提示することができる。
【発明の効果】
【００３６】
本発明によれば、様々な事象の報告をまとめることができる。
【図面の簡単な説明】
【００３７】
【図１】図１は、本発明に係る実施形態の表示制御装置を含む表示制御システムを表す概略構成図である。
【図２】図２は、本発明に係る実施形態の表示制御装置における情報管理部の概略構成図である。
【図３】図３は、本発明に係る実施形態の表示制御装置の表示例を表す概略図である。
【図４】図４は、本発明に係る実施形態の別の表示制御装置を含む表示制御システムを表す概略構成図である。
【図５】図５は、本発明に係る実施形態の表示生成方法の一例を表すフローチャートである。
【図６】図６は、本発明に係る実施形態の表示生成方法の一例を表すフローチャートである。
【図７】図７は、本発明に係る実施形態の表示生成方法の一例を表すフローチャートである。
【図８】図８は、本発明に係る実施形態の表示生成方法の一例を表すフローチャートである。
【図９】図９は、本発明に係る実施形態の表示制御装置の表示例を表す概略図である。
【図１０】図１０は、本発明に係る実施形態の表示制御装置の表示例を表す概略図である。
【図１１】図１１は、本発明に係る実施形態の表示制御装置の表示例を表す概略図である。
【図１２】図１２は、本発明に係る実施形態の表示制御装置の表示例を表す概略図である。
【発明を実施するための形態】
【００３８】
以下に添付図面を参照して、本発明に係る表示生成装置、表示制御装置および表示生成方法の好適な実施形態を詳細に説明する。なお、この実施形態により本発明が限定されるものではなく、また、実施形態が複数ある場合には、各実施形態を組み合わせて構成するものも含むものである。
【００３９】
図１は、本実施形態の表示制御装置を含む表示制御システムを表す概略構成図である。図２は、本実施形態の表示制御装置における情報管理部の概略構成図である。図３は、本実施形態の表示制御装置の表示例を表す概略図である。
【００４０】
表示制御システム１０は、会議システムに用いられる。会議システムは、本実施形態では、緊急時の意思決定支援システムを例示する。なお、意思決定支援システムは、例えば、原子力発電プラント施設（以下プラントともいう）に配置され、この原子力発電プラントの緊急時において様々な事象に対応する意思を決定する会議を実施するにあたりこれを支援するためのシステムである。
【００４１】
図１に示すように、表示制御システム１０は、表示部１１と、操作部１２と、Ｉ／Ｆ部４１と、情報管理部４２と、データベース４３と、を有している。また、本実施形態の表示制御システム１０は、入力機器４４と、出力機器４５とを有してもよい。また、本実施形態の表示制御システム１０は、原子力発電プラントにおける緊急時の意思決定支援システムとして適用される場合、シミュレーション部４６をさらに有してもよい。また、表示制御システム１０内に設けられる表示制御装置４０は、Ｉ／Ｆ部４１と、情報管理部４２とを有し、必要に応じて、表示部１１、操作部１２、データベース４３、およびシミュレーション部４６の少なくとも１つを有してもよい。
【００４２】
表示部１１は、例えば、会議に関わる複数の人員が見ることのできる大型のディスプレイである。操作部１２は、表示部１１の表示を操作したり、当該表示に伴う様々な情報を入力したりするものである。操作部１２は、表示部１１の画面に設けられたタッチパネル、または表示部１１に接続されたマウスやキーボードがある。
【００４３】
Ｉ／Ｆ部４１は、入出力部として構成され、各種データの入出力を行うものである。具体的に、Ｉ／Ｆ部４１は、入力機器４４および出力機器４５が接続される。入力機器４４は、パーソナルコンピュータやモバイル端末（タブレット端末）などがある。この入力機器４４は、電話で受けた情報やファクシミリで受けた情報などをＩ／Ｆ部４１に入力することができる。また、入力機器４４は、複数あってもよい。出力機器４５は、プリンタ装置やモバイル端末（タブレット端末）などがある。
【００４４】
また、Ｉ／Ｆ部４１は、表示制御システム１０が原子力発電プラントにおける緊急時の意思決定支援システムとして適用される場合、緊急時運転パラメータ伝送システム３３を介してプラントシステム３２が接続されると共に、サブシステム３１が接続されている。プラントシステム３２は、原子炉の各種データ（原子炉内の各種温度や流量などのデータ）を管理するものであり、必要に応じて原子力発電プラントの各種データをＩ／Ｆ部４１に入力する。緊急時運転パラメータ伝送システム３３は、プラントの緊急時に各種の運転パラメータをＩ／Ｆ部４１に入力する。サブシステム３１は、原子力発電プラント以外の各種データ（気象データなど）を管理するものであり、必要に応じてこの各種データをＩ／Ｆ部４１に入力する。
【００４５】
情報管理部４２は、例えば、コンピュータであり、図２に示すように、演算処理装置４２１や記憶装置（コンピュータプログラム）４２２などにより実現される。また、情報管理部４２は、表示装置４２３と、入力装置４２４と、音声出力装置４２５と、ドライブ装置４２６と、入出力インターフェース装置４２７とを有してもよい。演算処理装置４２１は、ＣＰＵ（Central  Processing  Unit）のようなマイクロプロセッサを含む。記憶装置４２２は、ＲＯＭやＲＡＭのようなメモリおよびストレージを含む。演算処理装置４２１は、記憶装置４２２に記憶されているコンピュータプログラムに従って演算処理を実施する。表示装置４２３は、フラットパネルディスプレイを含む。入力装置４２４は、操作されることにより入力データを生成する。入力装置４２４は、キーボードおよびマウスの少なくとも一方を含む。なお、入力装置４２４が表示装置４２３の表示画面に設けられたタッチセンサを含んでもよい。音声出力装置４２５は、スピーカーを含む。ドライブ装置４２６は、情報管理部４２を実行させるためのプログラムなどのデータが記録された記録媒体４２８からデータを読み出す。記録媒体４２８は、ＣＤ−ＲＯＭ、フレキシブルディスク、光磁気ディスクなどのように情報を光学的，電気的或いは磁気的に記録する記録媒体、ＲＯＭ、フラッシュメモリなどの様に情報を電気的に記録する半導体メモリなど、様々なタイプの記録媒体を用いることができる。入出力インターフェース装置４２７は、演算処理装置４２１と記憶装置４２２と表示装置４２３と入力装置４２４と音声出力装置４２５とドライブ装置４２６との間でデータ通信する。情報管理部４２は、外部から入力された各種データを加工することで、表示部１１に表示させる表示データを作成する。また、情報管理部４２は、操作部１２の操作に基づき、表示部１１の表示を切り替える。また、情報管理部４２は、入力情報を表示部１１に表示されている表示データに付加して表示部１１に表示させる。
【００４６】
データベース４３は、外部から入力した各種データや情報管理部４２が生成した表示データなどを記憶するものである。データベース４３に記憶されるデータは、情報管理部４２が取り出すことができる。
【００４７】
シミュレーション部４６は、表示制御システム１０が原子力発電プラントにおける緊急時の意思決定支援システムとして適用される場合、情報管理部４２が収集したプラントデータに基づいてプラントの経時的変化を予測演算してプラント予測データを生成するものである。
【００４８】
このように構成された表示制御システム１０は、緊急時の意思決定支援システムとして適用される。例えば、過酷事故（シビアアクシデント）が発生した場合、まず、プラントシステム３２から原子炉トリップ信号が入力される。すると、情報管理部４２は、サブシステム３１やプラントシステム３２や緊急時運転パラメータ伝送システム３３から必要なプラントデータを収集する場合がある。この場合は、表示制御装置４０の情報管理部４２は、収集したプラントデータに基づいて表示データを生成し、この表示データを表示部１１に表示する。また、情報管理部４２は、収集したプラントデータに基づいてシミュレーション部４６でプラント予測データを生成させ、このプラント予測データに基づいて表示データを生成し、この表示データを表示部１１に表示する。また、情報管理部４２は、入力機器４４から入力された情報を加工して表示データを生成し、この表示データを表示部１１に表示する。
【００４９】
ところで、プラントにおいて、過酷事故が発生した場合、時々刻々と変化する事象を把握し、様々な意思決定を行うことになる。
【００５０】
本実施形態の表示制御システム１０において、データベース４３は、Ｉ／Ｆ部４１を介して入力された事象データを、報告に関する時刻情報と共に記憶する。事象データは、プラントにおいて過酷事故が発生した場合に時々刻々と変化する事象のデータである。この事象データは、識別情報によりカテゴリが付加されている。識別情報は、例えば、入力機器４４により入力される際に付加することができ、あるいは緊急時運転パラメータ伝送システム３３、プラントシステム３２、サブシステム３１からの事象データに予め付加されている。カテゴリは、図３に示すように、例えば、過酷事故が発生した場合を想定し、プラント冷却・炉心防護、電源、モニタリング、格納容器防護、周辺状況・後方支援、可搬設備配備、シミュレーション、予定計画がある。そして、各カテゴリに対し、入力機器４４により事象が入力され、データベース４３に記憶される。
【００５１】
ここで、表示制御装置４０の情報管理部４２は、事象データを効率良く表示制御するため、次の機能を有する。図１に示すように、情報管理部４２は、取得部４２Ａと、生成部４２Ｂと、表示制御部４２Ｃとを有する。取得部４２Ａと、生成部４２Ｂとは、本発明に係る表示生成装置３９を構成する。取得部４２Ａは、プラントに関する災害時の事象データであって、時刻情報と、プラントに関する複数のカテゴリのいずれに属すかを示す識別情報とが付与された事象データを複数取得する。例えば、取得部４２Ａは、データベース４３に記憶された事象データを取得する。時刻情報とは、例えば、事象データの送信時刻、受信時刻、または事象が発生した時刻などである。生成部４２Ｂは、複数の事象データを、識別情報に応じたカテゴリごとに、時刻情報に基づいて時系列に並べて表示データを生成する。例えば、生成部４２Ｂは、横軸にカテゴリを並べ、カテゴリごとに、報告に関する時刻情報に基づき縦軸に時系列に事象データを並べて表示データを生成する。表示制御部４２Ｃは、生成部４２Ｂにより生成された表示データを表示部１１に表示するよう制御する。例えば、表示制御部４２Ｃは、図３に示すような表示データが表示部１１の画面に表示されるよう制御する。この場合、表示制御部４２Ｃは、図３に示すように、各カテゴリの四角枠１１ａ内に色を付けて各カテゴリを色分け表示し、かつその下の表示データの角枠１１ｂ内に同色を付けて各カテゴリの表示を関連付けて表示するよう制御する。
【００５２】
また、図３において、地震発生、地震による原子炉トリップ、津波襲来、全交流電源喪失、などの事象データは、プラントにおける全体のカテゴリに共通するため、情報管理部４２は、各カテゴリに連なる表示データを生成して表示部１１に表示する。この場合、図３に示すように、各カテゴリに連なる表示データの角枠１１ｃ内に各カテゴリとは異なる色を付けて共通する事象データを色分けて表示する。なお、この表示方法は、一例であり、異なる区別表示になるように枠の形やアイコンの付加などであってもよい。
【００５３】
また、図には明示しないが、複数のカテゴリに共通する事象データがある場合、情報管理部４２は、共通する事象データを抽出して別のカテゴリに分類し、当該別のカテゴリで時系列に並べた表示データを生成して表示部１１に表示することもできる。
【００５４】
また、事象データは、識別情報により表示部１１に表示すべきものか否かが予め設定されてデータベース４３に記憶されていてもよい。情報管理部４２は、予め設定された事象データのみを取得し、カテゴリごとに時系列に並べた表示データを生成し表示部１１に表示することもできる。
【００５５】
また、事象データは、識別情報により重要度が予め設定されてデータベース４３に記憶されていてもよい。情報管理部４２は、重要度の低い事象データについては、時間経過に伴って集約した表示データを生成して表示部１１に表示することができる。なお、表示データの集約は、例えば、１週間単位、１ヶ月単位、半年単位、１年単位などで表示を１つに纏め、この表示を操作部１２で選択することで、集約された個々の表示を確認することができるようにする。一方、情報管理部４２は、重要度の高い事象データについては、集約することなく表示部１１に表示することができる。
【００５６】
また、データベース４３において、記憶されている事象データが変更されることがある（例えば、入力ミスが発見されて訂正した場合がある。）。このような場合、情報管理部４２は、先に生成された表示データに対して変更を反映した表示データを付加する形態で生成して表示部１１に表示することができる。
【００５７】
また、上述したように、シミュレーション部４６は、表示制御システム１０が原子力発電プラントにおける緊急時の意思決定支援システムとして適用される場合、情報管理部４２が収集したプラントデータに基づいてプラントの経時的変化を予測演算してプラント予測データを生成する。従って、本実施形態では、シミュレーション部４６のプラント予測データを後の事象が予測される予測データとしてデータベース４３に記憶する。情報管理部４２は、予測の事象の予測データのカテゴリで時系列に並べた表示データを生成して表示部１１に表示することができる。
【００５８】
また、本実施形態の表示制御システム１０は、シミュレータ以外でも、予め計画された予定から表示データを作成して表示部１１に表示する。即ち、本実施形態では、予め計画された予定が入力機器４４に入力された場合に計画データとしてデータベース４３に記憶する。情報管理部４２は、予定計画の事象の計画データのカテゴリで時系列に並べた表示データを生成して表示部１１に表示することができる。
【００５９】
図４は、本実施形態の別の表示制御システム１０を表す概略構成図である。図４に示す実施形態は、同様の表示制御システムが複数あって符号１０Ａ，１０Ｂ，１０Ｃ，１０Ｄ…を付し、これら表示制御システム１０Ａ，１０Ｂ，１０Ｃ，１０Ｄ…が原子炉に関する総合的な災害時に活用するネットワーク（以下、ネットワークという）５０を介して相互に各種データを送受信できるように接続されている点が上述した実施形態と異なり、その他の構成は同様である。従って、図４に係る説明では、上述した実施形態と同等の構成に同一の符号を付して説明を省略する。
【００６０】
表示制御システム１０Ａ，１０Ｂ，１０Ｃ，１０Ｄ…は、原子力発電プラントにおける緊急時の意思決定支援システムとして用いられ、それぞれ原子力発電プラント、電力会社、地方自治体、国（政府政策機関、規制庁、オフサイトセンター）、プラントメーカに配置される。
【００６１】
各表示制御システム１０Ａ，１０Ｂ，１０Ｃ，１０Ｄ…は、同期管理部４７を有する。同期管理部４７は、Ｉ／Ｆ部４１と情報管理部４２との間でそれぞれに接続されていると共に、ネットワーク５０に接続され、他の意思決定支援システムとの間で情報の共有を行うものである。例えば、同期管理部４７は、ネットワーク５０を通して各種のデータの送受信を行い、データの更新を行う。また、同期管理部４７は、ネットワーク５０が切断され、所定期間が経過して再びネットワーク５０が接続されたとき、他の意思決定支援システムから受信したデータに基づいてデータの更新を行う。即ち、各表示制御システム１０Ａ，１０Ｂ，１０Ｃ，１０Ｄ…は、ネットワーク５０に接続されることで、各種の情報を共有可能に構成されている。また、データベース４３は、各表示制御システム１０Ａ，１０Ｂ，１０Ｃ，１０Ｄ…にそれぞれ接続されていてもよいが、図４に示すように、単一のデータベース４３がネットワーク５０に接続され、各表示制御システム１０Ａ，１０Ｂ，１０Ｃ，１０Ｄ…がネットワーク５０を介して各種の情報を共有可能に構成されていてもよい。
【００６２】
また、情報管理部４２は、緊急時に必要な緊急時情報に基づいて表示データを生成すると共に、ネットワーク５０を介して緊急時情報を共有することができる。ここで、緊急時情報とは、例えば、下記に記載するものである。
１．人員リソース管理情報−入力機器４４を用いて入力
２．後方支援（物資運搬）情報−入力機器４４を用いて入力
３．放射線モニタリング（周辺、所内、建物内）情報−モニタリングポストからネットワーク５０を通して入力
４．気象情報、風向情報、地震情報、津波情報−ネットワーク５０を通して入力
５．プラント内の被害状況（カメラ映像、崖崩れ、復旧状況）情報−入力機器４４を用いて入力
６．プラント炉心情報（燃料温度、炉内温度、炉内圧力等）−緊急時運転パラメータ伝送システム３３から入力
７．プラント状況の進展予測情報−シミュレーション部４６から入力
８．プラント周辺の送電情報−電力会社からネットワーク５０を通して入力
９．プラント内対応状況（可搬式設備の状況）情報−入力機器４４を用いて入力
１０．原子炉設計図面など保管義務のある資料の情報−データベース４３からネットワーク５０を通して入力
１１．タスク管理情報−入力機器４４を用いて入力
１２．ＦＡＸ画像情報など−入力機器４４を用いて入力
【００６３】
そして、情報管理部４２は、この緊急時情報のうちの意思決定に必要な情報だけを選択して表示データを生成すると共に、ネットワーク５０を介して他の表示制御システムと表示データを共有する。即ち、緊急時の表示制御システムとして適用される表示制御システム１０Ａ，１０Ｂ，１０Ｃ，１０Ｄ…は、原子力発電プラント、電力会社、地方自治体、国、プラントメーカなど、各所の異なる位置に配置されていることから、必要となる緊急時情報も異なる。そのため、表示制御システム１０Ａ，１０Ｂ，１０Ｃ，１０Ｄ…は、予め、緊急時情報に優先度を付け、優先度の高い情報だけを選択して表示する。
【００６４】
この場合、情報管理部４２が選択する意思決定に必要な情報は、リアルタイム情報を含めた最新の情報を含んでいる。即ち、各種の緊急時情報は、随時、入力機器４４や操作部１２やネットワーク５０から情報管理部４２に入力されるが、日時と共にデータベース４３に保存しており、常に最新のものを表示する。リアルタイム情報としては、緊急時運転パラメータ伝送システム３３から入力されるプラント炉心情報（燃料温度、炉内温度、炉内圧力等）、ネットワーク５０を通して入力される放射線モニタリング（周辺、所内、建物内）情報などがある。
【００６５】
また、情報管理部４２が選択する意思決定に必要な情報は、所定の優先表示基準を満たした情報を含み、この情報に基づいた表示データを表示部１１に優先表示させる。ここで、優先表示基準とは、危険度の高い情報や重要度の高い情報である。例えば、プラントにて、燃料温度や炉内温度や炉内圧力の各変化率が予め設定された基準値を超えたときにこの情報を優先的に表示する。また、降雨量や風速や震度などの気象状況が大幅に変動したときにこの情報を優先的に表示する。また、放射線モニタリング（周辺、所内、建物内）情報の一部である空間線量率が予め設定された基準値を超えたときにこの情報を優先的に表示する。また、予め設定された指示機関（例えば、国）からの情報を優先的に表示する。
【００６６】
情報管理部４２は、所定の優先表示基準を満たした情報を表示部１１に表示するとき、その優先度（重要度）に応じて表示部１１に強調表示（例えば、表示自体が飛び出すようにポップアップさせる）する。
【００６７】
また、情報管理部４２は、選択する意思決定に必要な情報をデータベース４３に記憶された緊急時情報を対応策の項目ごとに整理した表示データとして表示部１１に表示する。ここで、対応策の項目とは、例えば、以下に記載するものである。
１．避難時期
２．避難ルート
３．避難場所
４．作業手順
５．人員配置
６．作業者ルート
７．電源ルート
８．運搬物資の種類と数
【００６８】
データベース４３は、多数の緊急時情報が記憶されているが、情報管理部４２は、データベース４３に記憶されている多数の緊急時情報から、各対応策の項目を決定するために必要な緊急時情報だけを表示データとして表示部１１に表示する。
【００６９】
また、情報管理部４２が選択する意思決定に必要な情報は、情報管理部４２が緊急時情報に基づいて経時的変化を予測演算し生成した予測データを含んでいる。シミュレーション部４６は、情報管理部４２が収集したプラントデータに基づいてプラントの経時的変化を予測演算してプラント予測データを生成する。情報管理部４２は、シミュレーション部４６が予測演算して得たプラント予測データを表示することができる。
【００７０】
このような表示制御システム１０Ａにおいて、過酷事故が発生した場合、情報管理部４２は、プラントシステム３２から必要なプラントデータ（緊急時情報）を収集すると共に、ネットワーク５０から各種の緊急時情報を収集する。そして、情報管理部４２は、収集した各種の緊急時情報に基づいて表示データを生成し、表示部１１は、この表示データを表示する。また、情報管理部４２は、入力機器４４から入力された情報を加工して表示データを生成し、表示部１１は、この表示データを表示する。
【００７１】
原子力発電プラントにおける緊急時の意思決定支援システムとして用いられる表示制御システム１０Ａにおいて、過酷事故が発生した場合、情報管理部４２は、ネットワーク５０を介してデータベース４３に記憶される様々な事象データを取得する。そして、情報管理部４２は、データベース４３に記憶された事象データからカテゴリごとに時系列に並べた表示データを生成し表示部１１に表示する。
【００７２】
このように、本実施形態の表示制御システム１０（１０Ａ，１０Ｂ，１０Ｃ，１０Ｄ…）に適用される表示生成装置３９は、情報管理部４２において時刻情報と施設に関する複数のカテゴリのいずれに属すかを示す識別情報とが付与された事象データを複数取得する取得部４２Ａと、複数の事象データを識別情報に応じたカテゴリごとに時刻情報に基づいて時系列に並べて表示データを生成する生成部４２Ｂと、を備える。また、表示制御装置４０は、表示生成装置３９と、表示データを表示部１１に表示するよう制御する表示制御部４２Ｃと、を備える。
【００７３】
すなわち、表示生成装置３９は、図５のフローチャートに示すように、取得部４２Ａにおいて時刻情報と施設に関する複数のカテゴリのいずれに属すかを示す識別情報とが付与された事象データを複数取得することと（ステップＳ１：事象データ取得処理）、生成部４２Ｂにおいて複数の事象データを識別情報に応じたカテゴリごとに時刻情報に基づいて時系列に並べて表示データを生成することと（ステップＳ２：表示データ生成処理）、を含む表示生成方法を実行する。また、表示制御装置４０は、さらに表示制御部４２Ｃにおいて表示データを表示部１１に表示するよう制御することと（ステップＳ３：表示制御処理）、を含む表示生成方法を実行する。
【００７４】
この表示生成装置３９、表示制御装置４０および表示生成方法によれば、様々な事象の事象データを取得してカテゴリごとに時系列に並べた表示データを生成し表示部１１に表示するため、様々な事象の報告をまとめることができる。よって、オペレータは、様々な事象がカテゴリごとに時系列で追って確認することができる。この結果、様々な事象の事象データを一括して管理し、漏れなくオペレータに提示することができる。
【００７５】
また、表示生成装置３９では、生成部４２Ｂは、事象データが複数のカテゴリに共通する場合、一の当該事象データが複数のカテゴリに跨るように表示データを生成することが好ましい。
【００７６】
すなわち、表示生成装置３９は、図６のフローチャートに示すように、取得部４２Ａにおいて、事象データが複数のカテゴリに共通する場合（ステップＳ１１：Ｙｅｓ）、複数カテゴリに跨がる表示データを生成する（ステップＳ１２）。一方、事象データが複数のカテゴリに共通しない場合（ステップＳ１１：Ｎｏ）、カテゴリごとに表示データを生成する（ステップＳ１３）。
【００７７】
この表示生成装置３９によれば、複数のカテゴリに共通する事象データを個々の表示データとして表示することに比較し、各カテゴリに跨がる表示データとすることで、見やすくなり、かつ報告内容を強調することができる。
【００７８】
また、表示生成装置３９では、生成部４２Ｂは、事象データが複数のカテゴリに共通する場合、各前記事象データを共通するカテゴリにまとめて前記表示データを生成することが好ましい。
【００７９】
すなわち、表示生成装置３９は、図７のフローチャートに示すように、取得部４２Ａにおいて、事象データが複数のカテゴリに共通する場合（ステップＳ２１：Ｙｅｓ）、共通するカテゴリにまとめて表示データを生成する（ステップＳ２２）。一方、事象データが複数のカテゴリに共通しない場合（ステップＳ２１：Ｎｏ）、カテゴリごとに表示データを生成する（ステップＳ２３）。
【００８０】
この表示生成装置３９によれば、複数のカテゴリに共通する事象データがある場合、これを別のカテゴリとしてまとめて表示データを生成することで、異なる観点から事象データを見ることができ、かつ報告内容を強調することができる。
【００８１】
この場合、表示生成装置３９は、前記複数のカテゴリに跨がる表示データの角枠１１ｂ内に複数のカテゴリとは異なる色を付けて表示するように表示データを生成する。従って、各カテゴリに連なる表示データを生成した場合に、各カテゴリに連なる表示データの角枠１１ｂ内に各カテゴリとは異なる色を付けて表示データを生成することで、共通する事象データを別途色分けにより区別して表示することができる。
【００８２】
また、本実施形態の表示生成装置３９では、取得部４２Ａは、予め設定された事象データのみを取得することが好ましい。
【００８３】
この表示生成装置３９によれば、多数の報告がある場合に、予め設定された、例えば、重要度の高い事象データから生成した表示データを表示部１１に表示することで、見やすくなり、かつ報告内容を強調することができる。
【００８４】
また、表示生成装置３９は、図１および図４に示すように、情報管理部４２において、生成部４２Ｂは、分類部４２Ｂａと、集約部４２Ｂｂとを含む。分類部４２Ｂａは、複数の事象データを、所定基準に基づき少なくとも２つのグループに分ける。集約部４２Ｂｂは、分類された少なくとも２つのグループのうちの特定のグループに含まれる事象データを時間経過に伴って１つの単位にまとめる。
【００８５】
すなわち、表示生成装置３９は、図８のフローチャートに示すように、生成部４２Ｂの分類部４２Ｂａにおいて、複数の事象データを所定基準に基づき少なくとも２つのグループに分ける（ステップＳ３１）。そして、集約部４２Ｂｂは、特定のグループが存在する場合（ステップＳ３２：Ｙｅｓ）、特定のグループに含まれる事象データを１単位にまとめて表示データを生成する（ステップＳ３３）。一方、集約部４２Ｂｂは、特定のグループが存在しない場合（ステップＳ３２：Ｎｏ）、カテゴリごとに表示データを生成する（ステップＳ３４）。
【００８６】
例えば、表示生成装置３９は、所定基準として事象データに重要度が予め設定され、分類部４２Ｂａにおいて、重要度の低い事象データのグループと、重要度の高い事象データのグループとに分類する。集約部４２Ｂｂにおいては、重要度の低い事象データについては、時間経過に伴って集約した表示データを生成して表示部１１に表示する。一方、重要度の高い事象データについては、集約することなく表示部１１に表示する。
【００８７】
この表示生成装置３９によれば、重要度の低い事象データについては、時間経過に伴って集約して畳んで表示し、重要度の高い事象データについては、そのまま表示することで、見やすくなり、かつ重要度の高い報告内容を強調することができる。
【００８８】
また、表示生成装置３９では、取得部４２Ａが更新された事象データを取得した場合、生成部４２Ｂは、更新された前記事象データに基づく表示データを生成することが好ましい。
【００８９】
事象データが人の入力の場合は、誤入力が発生するおそれがある。この表示制御装置４０によれば、誤入力が訂正されてデータベース４３に更新して記憶された場合に、この更新された事象データを取得し、更新を反映した表示データを生成することで、正確な報告内容を表示することができる。
【００９０】
また、表示生成装置３９では、取得部４２Ａが後の事象を予測された事象データを取得した場合、生成部４２Ｂは、当該予測された前記事象データに基づく表示データを生成することが好ましい。
【００９１】
この表示生成装置３９によれば、例えば、シミュレーションにより後の事象が予測された場合、これが事象データとしてデータベース４３に記憶された場合に、この後の事象を予測された事象データを取得し、後の事象を予測された表示データを生成することで、後の事象の予測を時系列で見ることができる。
【００９２】
また、表示生成装置３９では、取得部４２Ａが予め計画された計画データを取得した場合、生成部４２Ｂは、当該計画データに基づく表示データを生成することが好ましい。
【００９３】
図９および図１０は、本実施形態の表示制御装置の表示例を表す概略図である。例えば、計画データは、今後対応すべき計画が解析などにより得られたもので、データベース４３に予め記憶されている。そして、計画データの表示は、図９および図１０に符号１１Ｂで示すように、フローチャートの形式で表示することができる。この場合、生成部４２Ｂは、過去の事象データを含めて時系列で表示し、過去の事象データと予め計画された計画データとを現在を表す区分線１１ｄで区切って表示することができる。また、計画データの表示１１Ｂは、図９および図１０に符号１１Ａで示すように、図３で示す事象データの表示と共に並べて表示することができる。図９では、表示１１Ａと表示１１Ｂとを横に並べて表示して、各データを縦軸の上から下に時系列で表示し、双方とも現在を表す区分線１１ｄで区切って表示する例を示している。また、図１０では、表示１１Ａと表示１１Ｂとを縦に並べて表示して、各データを横軸の左から右に時系列で表示し、双方とも現在を表す区分線１１ｄで区切って表示する例を示している。
【００９４】
この表示制御装置４０によれば、現在の進行とのズレを認識したり、今後対応すべき項目（作業）を把握したり、その猶予時間を一目で認識できる。計画された予定は、新たな解析や訓練などで実際の対応に併せて、改訂してデータベース４３に記憶していくこともでき、使えば使う程より高精度の計画になる。また、計画は事象毎に定められており、シミュレータの予測に連動して表示する計画予定を変更してもよい。
【００９５】
また、表示生成装置３９では、取得部４２Ａが事象データに対応する作業の作業データを取得した場合、生成部４２Ｂは、当該作業データに基づく表示データを生成することが好ましい。
【００９６】
図１１は、本実施形態の表示制御装置の表示例を表す概略図である。例えば、作業データは、図３で示す事象データに基づいて、その事象に対する対策のために実施されるべき作業の内容を示す作業データがデータベース４３に予め記憶されている。表示制御装置４０は、図１１に示すように、表示部１１の左側の領域に複数のアイコン（タイル）１１ｆを表示する。アイコン１１ｆは、作業の内容を示す作業データ（作業Ａ、作業Ｂ、作業Ｃ、作業Ｄ、作業Ｅ、作業Ｆ、作業Ｇ、作業Ｈ、作業Ｉ、作業Ｊ、作業Ｋ、作業Ｌ）１１ｆａと、作業の進捗データ１１ｆｂとを含む。
【００９７】
図１１では、表示制御装置４０は、１２種類の作業（作業Ａ、作業Ｂ、作業Ｃ、作業Ｄ、作業Ｅ、作業Ｆ、作業Ｇ、作業Ｈ、作業Ｉ、作業Ｊ、作業Ｋ、作業Ｌ）の内容を示す作業データをそれぞれ含む１２個のアイコン４０を表示する。
【００９８】
図１１では、表示制御装置４０は、進捗データ１１ｆｂをバーによって表示する。進捗データ１１ｆｂは、作業の進捗状況であり、例えば、入力機器４４に入力される。なお、進捗データ１１ｆｂは、プラントに設けられた各種のセンサによってプラントシステム３２から取得されてもよい。この進捗データ１１ｆｂは、Ｉ／Ｆ部４１を介して情報管理部４２に供給される。また、進捗データ１１ｆｂは、データベース４３に記憶されてもよい。
【００９９】
情報管理部４２の表示生成装置３９の生成部４２Ｂは、実施していない作業データ１１ｆａと、実施中の作業データ１１ｆａと、完了した作業データ１１ｆａとを、異なるデザインとする。図１１に示す例では、生成部４２Ｂは、アイコン１１ｆの色を変えることによって、それぞれの作業データ１１ｆａを区別する。例えば、作業Ａ，Ｂ，Ｊは実施していない作業データ１１ｆａであってアイコン１１ｆに色を付けず、作業Ｃ，Ｄ，Ｅ，Ｆ，Ｇ，Ｉ，Ｋは実施中の作業データ１１ｆａであってアイコン１１ｆに赤色を付け、作業Ｈ，Ｌは完了した作業データ１１ｆａであってアイコン１１ｆに青色を付ける。
【０１００】
また、表示制御装置４０は、図１１に示すように、表示部１１の右側の領域に、複数の作業のうち、１つの作業についての詳細データ１１Ｃｂを表示してもよい。図１１に示す例では、作業Ｄの詳細データ１１Ｃｂが表示されている。詳細データ１１Ｃｂは、作業者からの報告が入力機器４４に入力される。詳細データ１１Ｃｂは、例えば、作業Ｄの開始時刻、作業者からの報告が実施された報告時刻、報告内容、指示者、および報告者に関するデータが表示される。また、詳細データ１１Ｃｂは、作業Ｄが終了の報告を入力された場合に終了予定時刻を示すデータを表示してもよい。
【０１０１】
また、図１１に示す作業データを含む表示１１Ｃを、図９や図１０に示す表示１１Ａ，１１Ｂと共に表示してもよい。
この表示制御装置４０によれば、事象データに対する対策の作業を確認することができる。
【０１０２】
また、表示生成装置３９では、ネットワーク５０を介して複数箇所の事象データがデータベース４３に記憶されることが好ましい。
【０１０３】
この表示生成装置３９によれば、複数箇所の事象データを取得してカテゴリごとに時系列に並べた表示データを生成し表示部１１に表示することで、複数箇所の事象データを纏めて表示することができる。
【０１０４】
なお、上述の実施形態においては、表示制御システム１０（１０Ａ，１０Ｂ，１０Ｃ，１０Ｄ…）がプラントに適用されることとした。表示制御システム１０（１０Ａ，１０Ｂ，１０Ｃ，１０Ｄ…）は、プラントのみならず、例えば高速道路または鉄道のような交通施設、またはマンション施設または商業施設のような建物施設など、様々な適用対象に適用されてもよい。
【０１０５】
図１２は、本実施形態の表示制御装置の表示例を表す概略図である。図１２では、実施形態においては、表示制御システム１０（１０Ａ，１０Ｂ，１０Ｃ，１０Ｄ…）を高速道路の交通監視施設に適用して例を示している。すなわち、上述した表示制御装置４０の情報管理部４２の表示生成装置３９は、図１２に示すように、高速道路において、渋滞や、事故や、通行止めや、道路封鎖や、事故処理や、強風などの自然災害のような事象データを取得部４２Ａが取得する。生成部４２Ｂは、例えば、横軸にカテゴリを並べ、カテゴリごとに、報告に関する時刻情報に基づき縦軸に時系列に事象データを並べて表示データを生成する。表示制御部４２Ｃは、生成部４２Ｂにより生成された表示データを表示部１１に表示するよう制御する。例えば、表示制御部４２Ｃは、図１２に示すような表示データが表示部１１の画面に表示されるよう制御する。この場合、表示制御部４２Ｃは、図１２に示すように、各カテゴリの四角枠１１ｇ内に色を付けて各カテゴリを色分け表示し、かつその下の表示データの角枠１１ｈ内に同色を付けて各カテゴリの表示を関連付けて表示するよう制御する。また、図１２において、強風注意報発令などの事象データは、高速道路の全体のカテゴリに共通するため、情報管理部４２は、各カテゴリに連なる表示データを生成して表示部１１に表示する。この場合、図１２に示すように、各カテゴリに連なる表示データの角枠１１ｉ内に各カテゴリとは異なる色を付けて共通する事象データを色分けて表示する。なお、この表示方法は、一例であり、異なる区別表示になるように枠の形やアイコンの付加などであってもよい。なお、図には明示しないが、表示制御システム１０（１０Ａ，１０Ｂ，１０Ｃ，１０Ｄ…）を高速道路の交通監視施設に適用した場合も、図９および図１０に示す計画データの表示や、図１１に示す作業データの表示を行うこともできる。
【０１０６】
なお、情報管理部４２で実行されるプログラムについて、実際のハードウェアとしては、演算処理装置４２１が記憶装置４２２のＲＯＭからプログラムを読み出して実行することにより、上記各部のうち１または複数の部が記憶装置４２２のＲＡＭ上にロードされ、１または複数の各部が記憶装置４２２のＲＡＭ上に生成されるようになっている。このように、上述した実施形態で説明した処理は、コンピュータに実行させるためのプログラムとして実現されてもよい。このプログラムをサーバなどからインストールしてコンピュータに実行させることで、前述した処理を実現することができる。また、このプログラムを記録媒体４２８に記録し、このプログラムが記録された記録媒体４２８をコンピュータに読み取らせて、前述した処理を実現させることも可能である。なお、以上、実施形態について詳述したが、上記実施形態に限定されるものではなく、請求の範囲に記載された範囲内において、上記実施形態以外にも種々の変形及び変更が可能である。
【符号の説明】
【０１０７】
１１  表示部
３９  表示生成装置
４０  表示制御装置
４２  情報管理部
４２Ａ  取得部
４２Ｂ  生成部
４２Ｂａ  分類部
４２Ｂｂ  集約部
４２Ｃ  表示制御部
５０  ネットワーク
【図１】
2016158784.tif 000003
【図２】
2016158784.tif 000004
【図３】
2016158784.tif 000005
【図４】
2016158784.tif 000006
【図５】
2016158784.tif 000007
【図６】
2016158784.tif 000008
【図７】
2016158784.tif 000009
【図８】
2016158784.tif 000010
【図９】
2016158784.tif 000011
【図１０】
2016158784.tif 000012
【図１１】
2016158784.tif 000013
【図１２】
2016158784.tif 000014
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
時刻情報と施設に関する複数のカテゴリのいずれに属すかを示す識別情報とが付与された事象データを複数取得する取得部と、
複数の前記事象データを前記識別情報に応じたカテゴリごとに前記時刻情報に基づいて、前記取得部で取得した過去の事象データを含めて時系列に並べて表示データを生成する生成部と、
を備える表示生成装置。
【請求項１６】
前記生成部は、前記事象データが複数のカテゴリに共通する場合、一の当該事象データが前記複数のカテゴリに跨るように前記表示データを生成する、請求項１５に記載の表示生成装置。
【請求項１７】
前記生成部は、前記複数のカテゴリに跨がる前記表示データの角枠内に前記複数のカテゴリとは異なる色を付けて表示するように前記表示データを生成する、請求項１６に記載の表示生成装置。
【請求項１８】
前記生成部は、前記事象データが複数のカテゴリに共通する場合、各前記事象データを共通するカテゴリにまとめて前記表示データを生成する、請求項１５に記載の表示生成装置。
【請求項１９】
前記取得部は、予め設定された前記事象データのみを取得する、請求項１５から１８のいずれか１つに記載の表示生成装置。
【請求項２０】
前記生成部は、
前記複数の事象データを、所定基準に基づき少なくとも２つのグループに分ける分類部と、
分類された前記少なくとも２つのグループのうちの特定のグループに含まれる前記事象データを時間経過に伴って１つの単位にまとめる集約部と、
を含む、請求項１５から１９のいずれか１つに記載の表示生成装置。
【請求項２１】
前記取得部が更新された事象データを取得した場合、前記生成部は、更新された前記事象データに基づく表示データを生成する、請求項１５から２０のいずれか１つに記載の表示生成装置。
【請求項２２】
前記取得部が後の事象を予測された予測データを取得した場合、前記生成部は、当該予測データに基づく表示データを生成する、請求項１５から２１のいずれか１つに記載の表示生成装置。
【請求項２３】
前記取得部が予め計画された計画データを取得した場合、前記生成部は、当該計画データに基づく表示データを生成する、請求項１５から２２のいずれか１つに記載の表示生成装置。
【請求項２４】
前記生成部は、過去の事象データと予め計画された計画データとを現在を表す区分線で区切って表示する表示データを生成する、請求項２３に記載の表示生成装置。
【請求項２５】
前記取得部が前記事象データに対応する作業の作業データを取得した場合、前記生成部は、当該作業データに基づく表示データを生成する、請求項１５から２４のいずれか１つに記載の表示生成装置。
【請求項２６】
ネットワークを介して複数箇所からの事象データを前記取得部で取得する、請求項１５から２５のいずれか１つに記載の表示生成装置。
【請求項２７】
請求項１５から２６のいずれか１つに記載の表示生成装置と、
前記表示生成装置が生成する表示データを表示部に表示するよう制御する表示制御部と、
を備える表示制御装置。
【請求項２８】
前記表示制御部は、横軸に前記カテゴリを並べ、当該カテゴリごとに時刻情報に基づき縦軸に時系列に表示データを表示部に表示するよう制御する、請求項２７に記載の表示制御装置。
【請求項２９】
時刻情報と、施設に関する複数のカテゴリのいずれに属すかを示す識別情報とが付与された事象データを複数取得することと、
複数の前記事象データを、前記識別情報に応じたカテゴリごとに、前記時刻情報に基づいて、取得した過去の事象データを含めて時系列に並べて表示データを生成することと、
を含む表示生成方法。
【国際調査報告】
2016158784.tif 000015
2016158784.tif 000016
2016158784.tif 000017
2016158784.tif 000018